【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
切開壁を有する切開創の治療用装置であって、
減圧を受ける第１の端部と、第２の端部とを有する導管；
前記切開壁に隣接して位置決めするための対向面を有し、かつ減圧を受けるために前記導管の前記第２の端部に流体結合されている足場において、前記足場が全体的に細長い形状であり、かつ前記対向面間の足場の厚さが、前記切開創内に位置決めされるのに十分な程度薄い、足場；および
前記足場内において前記対向面間で全体的に長手方向に延在する主流路を有し、かつ前記導管の前記第２の端部に流体結合されている内部マニホールド；
を含み、
それにより、前記足場および前記内部マニホールドを通して減圧を行うことによって、前記切開壁間に組織付着が誘発されることを特徴とする装置。
【請求項２】
請求項１に記載の装置において、前記内部マニホールドが、前記主流路に流体結合されかつ前記足場内において前記対向面間で全体的に横方向に延在する支流路をさらに含むことを特徴とする装置。
【請求項３】
請求項２に記載の装置において、前記支流路が前記主流路からほぼ垂直に延在することを特徴とする装置。
【請求項４】
請求項２に記載の装置において、前記支流路の１つ以上が、前記主流路内の単一の場所から生じていることを特徴とする装置。
【請求項５】
請求項１に記載の装置において、前記主流路が、前記足場の上縁部分と下縁部分との間で波状となっていることを特徴とする装置。
【請求項６】
請求項１に記載の装置において、前記主流路が前記足場の異方特性であることを特徴とする装置。
【請求項７】
請求項１に記載の装置において、前記主流路が生物再吸収性チューブによって形成されていることを特徴とする装置。
【請求項８】
請求項１に記載の装置において、前記主流路が、前記足場の相互につながれた細孔の整列によって形成されていることを特徴とする装置。
【請求項９】
請求項１に記載の装置において、前記足場の厚さが約３．０ｍｍ未満であることを特徴とする装置。
【請求項１０】
請求項１に記載の装置において、前記足場の厚さが約０．２５ｍｍ超であることを特徴とする装置。
【請求項１１】
請求項１に記載の装置において、前記足場の長さ対厚さの比が約１０を上回ることを特徴とする装置。
【請求項１２】
請求項１に記載の装置において、前記足場が、前記切開壁と接触しない縁部分と、前記縁部分と流体連通し、かつ前記導管の前記第２の端部に流体結合されている外部マニホールドとをさらに含むことを特徴とする装置。
【請求項１３】
請求項１２に記載の装置において、前記外部マニホールドが、前記切開創の外側に位置決めされていることを特徴とする装置。
【請求項１４】
請求項１に記載の装置において、前記足場が生物再吸収性であることを特徴とする装置。
【請求項１５】
請求項１に記載の装置において、前記足場が、ポリラクチド−コ−グリコリドから形成されていることを特徴とする装置。
【請求項１６】
請求項１に記載の装置において、前記足場が再吸収性ポリウレタンから形成されていることを特徴とする装置。
【請求項１７】
請求項１に記載の装置において、前記足場が脱細胞化生物材料から形成されていることを特徴とする装置。
【請求項１８】
請求項１に記載の装置において、前記足場がコラーゲンから形成されていることを特徴とする装置。
【請求項１９】
請求項１に記載の装置において、前記足場が網状構造であることを特徴とする装置。
【請求項２０】
請求項１に記載の装置において、
前記足場の一部分と流体連通している外部マニホールド；および
実質的に不浸透性材料から形成され、前記外部マニホールドおよび前記切開創内の前記足場を覆うドレープ
をさらに含むことを特徴とする装置。
【請求項２１】
切開壁を有する切開創の治療用システムであって、
減圧を供給するための圧力源；
前記圧力源に流体結合され、減圧を受ける第１の端部と、第２の端部とを有する導管；
減圧を受けるために前記導管の前記第２の端部に流体結合され、かつ前記切開壁に隣接して前記切開創内に位置決めするための対向面を有する足場において、前記切開創内に位置決めするために、全体的に細長い形状の多孔質材料から形成される足場；および
前記足場内において前記対向面間で全体的に長手方向に延在しかつ前記導管の前記第２の端部に流体結合されている主流路を有する内部マニホールド；
を含み、
それにより、前記足場および前記内部マニホールドを通して減圧を行うことによって、前記切開壁間に組織付着を誘発することを特徴とするシステム。
【請求項２２】
請求項２１に記載のシステムにおいて、前記内部マニホールドが、前記主流路に流体結合されかつ前記足場内において前記対向面間で全体的に横方向に延在する支流路を含むことを特徴とするシステム。
【請求項２３】
請求項２２に記載のシステムにおいて、前記支流路が前記主流路からほぼ垂直に延在することを特徴とするシステム。
【請求項２４】
請求項２１に記載のシステムにおいて、前記支流路の１つ以上が、前記主流路内の単一の場所から生じることを特徴とするシステム。
【請求項２５】
請求項２１に記載のシステムにおいて、前記主流路が、前記足場の上縁部分と下縁部分との間で波状になっていることを特徴とするシステム。
【請求項２６】
請求項２１に記載のシステムにおいて、前記主流路が前記足場の異方特性であることを特徴とするシステム。
【請求項２７】
請求項２１に記載のシステムにおいて、前記主流路が生物再吸収性チューブによって形成されていることを特徴とするシステム。
【請求項２８】
請求項２１に記載のシステムにおいて、前記主流路が、前記足場の相互につながれた細孔の整列によって形成されていることを特徴とするシステム。
【請求項２９】
請求項２１に記載のシステムにおいて、前記足場が、前記切開壁と接触していない縁部分と、前記縁部分に流体連通しかつ前記導管の前記第２の端部に流体結合している外部マニホールド構造とをさらに含むことを特徴とするシステム。
【請求項３０】
請求項２９に記載のシステムにおいて、前記切開創が、前記切開壁間に開口部を有し、かつ前記縁部分が前記開口部を通して露出されていることを特徴とするシステム。
【請求項３１】
請求項３０に記載のシステムにおいて、前記外部マニホールドが、前記切開創の外側に位置決めされていることを特徴とするシステム。
【請求項３２】
請求項２１に記載のシステムにおいて、前記切開創が、前記切開壁間に開口部を有し、かつ前記開口部を実質的に閉鎖する手段をさらに含むことを特徴とするシステム。
【請求項３３】
請求項２１に記載のシステムにおいて、
前記足場の一部分と流体連通している外部マニホールド；および
実質的に不浸透性材料で形成され、前記外部マニホールドおよび前記切開創内の前記足場を覆うドレープ
をさらに含むことを特徴とするシステム。
【請求項３４】
請求項２１に記載のシステムにおいて、前記足場に流体接続された流体源をさらに含むことを特徴とするシステム。
【請求項３５】
切開壁を有する切開創の治療用システムであって、
減圧を供給するための圧力源；
前記圧力源に流体結合され、減圧を受ける第１の端部と、第２の端部とを有する導管；
減圧を受けるために前記導管の前記第２の端部に流体結合され、かつ前記切開創内で前記切開壁に隣接して位置決めするための対向面を有する足場において、前記足場は、前記切開創内に位置決めするために、全体的に細長い形状の多孔質材料から形成され、前記足場の厚さは約０．２５ｍｍ超かつ約３．０ｍｍ未満である、足場；および
内部マニホールドであって：
前記足場内において前記対向面間で全体的に長手方向に延在し、かつ前記導管の前記第２の端部に流体結合されている主流路と；
前記主流路に流体結合され、かつ前記足場内において前記対向面間で全体的に横方向に延在する支流路において、前記主流路からほぼ垂直に延在している支流路と
を含む内部マニホールド
を含み、
それにより、前記足場および前記内部マニホールドを通して減圧を行うことによって、前記切開壁間に組織付着を誘発することを特徴とするシステム。
【請求項３６】
請求項３５に記載のシステムにおいて、
前記足場の一部分と流体連通している外部マニホールド；および
実質的に不浸透性材料で形成され、前記外部マニホールドおよび前記切開創内の前記足場を覆うドレープ
をさらに含むことを特徴とするシステム。
【請求項３７】
切開壁を有する切開創の治療用装置であって、
前記切開壁に隣接して位置決めするための対向面を有する足場において、前記足場が全体的に細長い形状であり、および前記対向面間の足場の厚さが、前記切開創内に位置決めするために十分な程度薄い、足場；および
減圧源に流体結合するために、前記足場内において前記対向面間で全体的に長手方向に延在する主流路を有する内部マニホールド
を含むことを特徴とする装置。
【請求項３８】
請求項３７に記載の装置において、前記内部マニホールドが、前記主流路に流体結合されかつ前記足場内において前記対向面間で全体的に横方向に延在する支流路をさらに含むことを特徴とする装置。
【請求項３９】
請求項３８に記載の装置において、前記支流路が前記主流路からほぼ垂直に延在することを特徴とする装置。
【請求項４０】
請求項３８に記載の装置において、前記支流路の１つ以上が、前記主流路内の単一の場所から生じることを特徴とする装置。
【請求項４１】
請求項３７乃至４０の何れか１項に記載の装置において、前記主流路が、前記足場の上縁部分と下縁部分との間で波状になっていることを特徴とする装置。
【請求項４２】
請求項３７乃至４１の何れか１項に記載の装置において、前記主流路が前記足場の異方特性であることを特徴とする装置。
【請求項４３】
請求項３７乃至４２の何れか１項に記載の装置において、前記主流路が生物再吸収性チューブによって形成されていることを特徴とする装置。
【請求項４４】
請求項３７乃至４３の何れか１項に記載の装置において、前記主流路が、前記足場の相互につながれた細孔の整列によって形成されていることを特徴とする装置。
【請求項４５】
請求項３７乃至４４の何れか１項に記載の装置において、前記足場の厚さが約３．０ｍｍ未満であることを特徴とする装置。
【請求項４６】
請求項３７乃至４５の何れか１項に記載の装置において、前記足場の厚さが約０．２５ｍｍ超であることを特徴とする装置。
【請求項４７】
請求項３７乃至４６の何れか１項に記載の装置において、前記足場の長さ対厚さの比が約１０を上回ることを特徴とする装置。
【請求項４８】
請求項３７乃至４７の何れか１項に記載の装置において、前記足場が、前記切開壁に接触しない縁部分と、前記縁部分に流体連通し、かつ前記導管の前記第２の端部に流体結合している外部マニホールドとをさらに含むことを特徴とする装置。
【請求項４９】
請求項４８に記載の装置において、前記外部マニホールドが、前記切開創の外側に位置決めされていることを特徴とする装置。
【請求項５０】
請求項３７乃至４９の何れか１項に記載の装置において、前記足場が生物再吸収性であることを特徴とする装置。
【請求項５１】
請求項３７乃至５０の何れか１項に記載の装置において、前記足場が、ポリラクチド−コ−グリコリドから形成されていることを特徴とする装置。
【請求項５２】
請求項５１に記載の装置において、前記足場が再吸収性ポリウレタンから形成されていることを特徴とする装置。
【請求項５３】
請求項５２に記載の装置において、前記足場が脱細胞化生物材料から形成されていることを特徴とする装置。
【請求項５４】
請求項３７乃至５３の何れか１項に記載の装置において、前記足場がコラーゲンから形成されていることを特徴とする装置。
【請求項５５】
請求項３７乃至５４の何れか１項に記載の装置において、前記足場が網状構造であることを特徴とする装置。
【請求項５６】
請求項３７乃至５５の何れか１項に記載の装置において、
前記足場の一部分と流体連通している外部マニホールド；および
実質的に不浸透性材料で形成され、前記外部マニホールドおよび前記切開創内の前記足場を覆うドレープ
をさらに含むことを特徴とする装置。
【請求項５７】
請求項３７乃至５５の何れか１項に記載の装置において、前記主流路に流体結合されている導管をさらに含むことを特徴とする装置。
【請求項５８】
請求項５７に記載の装置において、前記導管に流体結合されている減圧源をさらに含むことを特徴とする装置。